(57)【要約】【課題】  フロアーデッキを設定する場所が凹凸を有する面であっても、容易にフロアーデッキを設置することができるとともに施工後の安定性が極めて高いフロアーデッキ及びこのフロアーデッキの施工方法の提供。【解決手段】  第１床部材と第２床部材からなるフロアーデッキであって、前記第１床部材は、第１床板部と、該第１床板部の裏側に配設されるとともに平面視に於いて前記第１床板部の周縁から突出する突出部を有する第１根太と、該突出部に設けられるとともに該第１床板部を支持する脚部と、該脚部を上下方向に移動させて、前記第１床板部と床面からの垂直高さを調整する高低調整手段とを有し、前記第２床部材は、前記第１床板部と同一の形状を有する第２床板部を有することを特徴とする。【選択図】  図１
2005068714.tif 000002
【特許請求の範囲】
【請求項１】
第１床部材と第２床部材からなるフロアーデッキであって、
前記第１床部材は、第１床板部と、該第１床板部の裏側に配設されるとともに平面視に於いて前記第１床板部の周縁から突出する突出部を有する第１根太と、該突出部に設けられるとともに該第１床板部を支持する脚部と、該脚部を上下方向に移動させて、前記第１床板部と床面からの垂直高さを調整する高低調整手段とを有し、
前記第２床部材は、前記第１床板部と同一の形状を有する第２床板部を有する
ことを特徴とするフロアーデッキ。
【請求項２】
前記第１床板部が平面視略四角形状を有し、２本の前記第１根太が該第１床部材の一対の平行な辺に沿ってそれぞれ設けられるとともに、前記突出部が該第１根太の両端に於いて該第１根太の周縁から突出されていることを特徴とする請求項１記載のフロアーデッキ。
【請求項３】
前記２本の第１根太が四角形の上角部を切欠いた断面略Ｌ字状の形状を有するとともにその切欠き部が対向するように上面が前記第１床板部に固着されていることを特徴とする請求項２に記載のフロアーデッキ。
【請求項４】
前記第１根太の前記突出部には、上下方向に貫通する貫通孔が設けられ、
前記高低調整手段は、該貫通孔の内面又は、該貫通孔の下端部に該貫通孔と同心に設けられる雌螺子と、前記脚部の外周面に設けられるとともに前記雌螺子と螺合する雄螺子とからなることを特徴とする請求項１記載のフロアーデッキ。
【請求項５】
前記脚部の上面には、該脚部を軸周り方向に回転させるための治具を挿入可能な窪み部が設けられていることを特徴とする請求項１乃至４いずれかに記載のフロアーデッキ。
【請求項６】
前記第２床部材は、平面視略四角形状を有する前記第２床板部と、前記第２床板部を保持する第２根太とからなり、
該第２根太は、前記第２床板部の裏側に所定間隔分だけ第２床板部の周辺よりも内側に配置され且つ、該第２床板部の辺に平行に設けられており、
前記所定間隔は、前記第１根太の上面が前記第１床板部に当接する幅と等しいとともに、前記第２根太の厚みが前記切欠き部の高さと等しいこと
を特徴とする請求項３記載のフロアーデッキ。
【請求項７】
第１床板部と、該第１床板部の裏側に配設されるとともに平面視に於いて前記第１床板部の周縁から突出する突出部を有する第１根太と、該突出部に設けられるとともに該第１床板部を支持する脚部と、該脚部を上下方向に移動させて、前記第１床板部の床面からの垂直高さを調整する高低調整手段とを有する第１床部材と、前記第１床板部と同一の形状を有する第２床板部を有する第２床部材とからなるフロアーデッキを施工する方法であって、
複数の前記第１床部材を平面視に於いて市松模様状に敷設し、
敷設された斜め方向に隣り合う前記第１床部材の当接する第１根太同士を結合し、
前記第１床部材が有する前記高低調整手段によって、該第１床板部を水平状態に調整し、
水平状態に調整された複数の前記第１床部材同士の間に形成される平面視に於ける空間に前記第２床部材を配設する
ことを特徴とするフロアーデッキの施工方法。
【請求項８】
前記第１根太の前記突出部には、上下方向に貫通する貫通孔が設けられ、
前記高低調整手段は、該貫通孔の内面又は、該貫通孔の下端部に該貫通孔と同心に設けられた雌螺子と、前記脚部の外周面に設けられるとともに前記雌螺子と螺合する雄螺子とからなり、
前記第１根太に設けられた前記貫通孔の上方の開口部から前記脚部を軸周り方向に回転させることによって、該脚部を上下方向に移動させ該第１床板部を水平状態に調整することを特徴とする請求項７記載のフロアーデッキの施工方法。
【請求項９】
前記第１床板部が平面視略四角形状を有し、２本の前記第１根太が該第１床部材の一対の平行な辺に沿ってそれぞれ設けられるとともに、前記突出部が該第１根太の両端に於いて該第１根太の周縁から突出されていることを特徴とする請求項７記載のフロアーデッキの施工方法。
【請求項１０】
前記２本の第１根太が四角形の上角部を切欠いた断面略Ｌ字状の形状を有するとともにその切欠き部が対向するように上面が前記第１床板部に固着されていることを特徴とする請求項７記載のフロアーデッキの施工方法。
【請求項１１】
前記脚部の上面には、該脚部を軸周り方向に回転させるための治具を挿入可能な窪み部が設けられていることを特徴とする請求項７乃至１０いずれかに記載のフロアーデッキの施工方法。
【請求項１２】
前記第２床部材は、平面視略四角形状を有する前記第２床板部と、前記第２床板部を保持する第２根太とからなり、
該第２根太は、前記第２床板部の裏側に所定間隔分だけ第２床板部の周辺よりも内側に配置され且つ、該第２床板部の辺に平行に設けられており、
前記所定間隔は、前記第１根太の上面が前記第１床板部に当接する幅と等しいとともに、前記第２根太の厚みが前記切欠き部の高さと等しいことを特徴とする請求項７記載のフロアーデッキの施工方法。
【発明の詳細な説明】
【技術分野】
【０００１】
本発明は、フロアーデッキ及びこのフロアーデッキの施工方法に関し、より詳しくは、フロアーデッキを設定する場所が凹凸を有する面であっても、容易にフロアーデッキを設置することができるとともに施工後の安定性が極めて高いフロアーデッキ及びこのフロアーデッキの施工方法に関する。
【背景技術】
【０００２】
従来、コンクリート等で形成された床に載置するフロアーデッキは、床荷重支持具を設置して床部材を支える構造を有している（例えば特許文献１及び２参照）。
しかしながら、このような床荷重支持具を利用して床部材を設置するには、現場に於いて、床荷重支持具を設置する手間がかかり、熟練した技術を有する者でなければ扱うことができない問題点を有していた。
【０００３】
また、プラスチック製のジョイント基材の上に薄い板を貼ってフロアーデッキとし、マンションのベランダ等のコンクリート面に載置して利用される発明や考案も創出されている（例えば、特許文献３参照。）。
しかしながら、上記したようなフロアーデッキは、コンクリート面の平滑程度が低いと凸凹になって敷設されてしまい綺麗に敷設できないという問題点と、コンクリート面に直接載置するので高い強度を有していない問題点を有していた。
【０００４】
上記した問題点を解決するために、高さ調整可能な床荷重支持具を利用したフロアーデッキが創出されている（例えば、特許文献４参照。）。この高さ調整可能な床荷重支持具は、床部材を配置する前に、配置された床部材が水平を有するように床荷重支持具の高さが調整されて配置される。床荷重支持具の高さが予め調整されてから床部材が載置されるので、床部材を水平に配置することができる特徴を有している。
しかしながら、この方法で床部材を配置する方法は、予め正確に床荷重支持具を配置する場所を決定したり、高さを適宜設定したりしなければならず、床荷重支持具を配置するまでに多大な労力を必要とする問題を有していた。
また、フロアーデッキの安定性を重視すると各デッキの連結方法が複雑となり、熟練した技術を有する者しか施工することができず、逆に、誰でも容易に連結できるように連結方法を簡便にすると、フロアーデッキの安定性が損なわれるという問題点があった。
【０００５】
【特許文献１】特許第２７８９４５２号公報
【特許文献２】特許第２９７７８１２号公報
【特許文献３】特開２００３−１７６６１９号公報
【特許文献４】特開平１１−９３３７８号公報
【発明の開示】
【発明が解決しようとする課題】
【０００６】
本発明は、このような実情に鑑みてなされたもので、フロアーデッキを設置する場所が凹凸を有する面であっても、容易にフロアーデッキを設置することができ、更に施工後のフロアーデッキの安定性が極めて高いフロアーデッキ及びこのフロアーデッキの施工方法を提供する。
【課題を解決するための手段】
【０００７】
請求項１記載の発明は、第１床部材と第２床部材からなるフロアーデッキであって、前記第１床部材は、第１床板部と、該第１床板部の裏側に配設されるとともに平面視に於いて前記第１床板部の周縁から突出する突出部を有する第１根太と、該突出部に設けられるとともに該第１床板部を支持する脚部と、該脚部を上下方向に移動させて、前記第１床板部と床面からの垂直高さを調整する高低調整手段とを有し、前記第２床部材は、前記第１床板部と同一の形状を有する第２床板部を有することを特徴とするフロアーデッキを提供する。請求項２記載の発明は、前記第１床板部が平面視略四角形状を有し、２本の前記第１根太が該第１床部材の一対の平行な辺に沿ってそれぞれ設けられるとともに、前記突出部が該第１根太の両端に於いて該第１根太の周縁から突出されていることを特徴とする請求項１記載のフロアーデッキを提供する。請求項３記載の発明は、前記２本の第１根太が四角形の上角部を切欠いた断面略Ｌ字状の形状を有するとともにその切欠き部が対向するように上面が前記第１床板部に固着されていることを特徴とする請求項２に記載のフロアーデッキを提供する。
請求項４記載の発明は、前記第１根太の前記突出部には、上下方向に貫通する貫通孔が設けられ、前記高低調整手段は、該貫通孔の内面又は、該貫通孔の下端部に該貫通孔と同心に設けられる雌螺子と、前記脚部の外周面に設けられるとともに前記雌螺子と螺合する雄螺子とからなることを特徴とする請求項１記載のフロアーデッキを提供する。請求項５記載の発明は、前記脚部の上面には、該脚部を軸周り方向に回転させるための治具を挿入可能な窪み部が設けられていることを特徴とする請求項１乃至４いずれかに記載のフロアーデッキを提供する。
請求項６記載の発明は、前記第２床部材は、平面視略四角形状を有する前記第２床板部と、前記第２床板部を保持する第２根太とからなり、該第２根太は、前記第２床板部の裏側に所定間隔分だけ第２床板部の周辺よりも内側に配置され且つ、該第２床板部の辺に平行に設けられており、前記所定間隔は、前記第１根太の上面が前記第１床板部に当接する幅と等しいとともに、前記第２根太の厚みが前記切欠き部の高さと等しいことを特徴とする請求項３記載のフロアーデッキを提供する。
請求項７記載の発明は、第１床板部と、該第１床板部の裏側に配設されるとともに平面視に於いて前記第１床板部の周縁から突出する突出部を有する第１根太と、該突出部に設けられるとともに該第１床板部を支持する脚部と、該脚部を上下方向に移動させて、前記第１床板部の床面からの垂直高さを調整する高低調整手段とを有する第１床部材と、前記第１床板部と同一の形状を有する第２床板部を有する第２床部材とからなるフロアーデッキを施工する方法であって、複数の前記第１床部材を平面視に於いて市松模様状に敷設し、敷設された斜め方向に隣り合う前記第１床部材の当接する第１根太同士を結合し、前記第１床部材が有する前記高低調整手段によって、該第１床板部を水平状態に調整し、水平状態に調整された複数の前記第１床部材同士の間に形成される平面視に於ける空間に前記第２床部材を配設することを特徴とするフロアーデッキの施工方法を提供する。
請求項８記載の発明は、前記第１根太の前記突出部には、上下方向に貫通する貫通孔が設けられ、前記高低調整手段は、該貫通孔の内面又は、該貫通孔の下端部に該貫通孔と同心に設けられた雌螺子と、前記脚部の外周面に設けられるとともに前記雌螺子と螺合する雄螺子とからなり、前記第１根太に設けられた前記貫通孔の上方の開口部から前記脚部を軸周り方向に回転させることによって、該脚部を上下方向に移動させ該第１床板部を水平状態に調整することを特徴とする請求項７記載のフロアーデッキの施工方法を提供する。
請求項９記載の発明は、前記第１床板部が平面視略四角形状を有し、２本の前記第１根太が該第１床部材の一対の平行な辺に沿ってそれぞれ設けられるとともに、前記突出部が該第１根太の両端に於いて該第１根太の周縁から突出されていることを特徴とする請求項７記載のフロアーデッキの施工方法を提供する。請求項１０記載の発明は、前記２本の第１根太が四角形の上角部を切欠いた断面略Ｌ字状の形状を有するとともにその切欠き部が対向するように上面が前記第１床板部に固着されていることを特徴とする請求項７に記載のフロアーデッキの施工方法を提供する。請求項１１記載の発明は、前記脚部の上面には、該脚部を軸周り方向に回転させるための治具を挿入可能な窪み部が設けられていることを特徴とする請求項７乃至１０いずれかに記載のフロアーデッキの施工方法を提供する。
請求項１２記載の発明は、前記第２床部材は、平面視略四角形状を有する前記第２床板部と、前記第２床板部を保持する第２根太とからなり、該第２根太は、前記第２床板部の裏側に所定間隔分だけ第２床板部の周辺よりも内側に配置され且つ、該第２床板部の辺に平行に設けられており、前記所定間隔は、前記第１根太の上面が前記第１床板部に当接する幅と等しいとともに、前記第２根太の厚みが前記切欠き部の高さと等しいことを特徴とする請求項７記載のフロアーデッキの施工方法を提供する。
これらの発明を提供することで、上記課題を悉く解決する。
【発明の効果】
【０００８】
請求項１記載の発明は、フロアーデッキを施工する場所が凹凸を有する面であっても、容易にフロアーデッキを設置することができ、更に施工後のフロアーデッキの安定性が極めて高いフロアーデッキを提供することができる。
請求項２記載の発明は、フロアーデッキを容易に敷設することができるとともに敷設した際に視覚的効果の高い綺麗なフロアーデッキを提供することができる。
請求項３記載の発明は、第１根太が断面略Ｌ字状の形状を有することで、第１床部材に第２床部材を載置した際に、確実に固定することができ、第１及び第２床部材により形成される床の撓みがないフロアーデッキを提供することができる。
請求項４及び５に記載の発明は、円柱形状の脚部を軸周り方向に回転するだけで、第１床板部の垂直高さを調整して水平状態にすることができるフロアーデッキを提供することができる。
請求項６記載の発明は、第２床板部に所定間隔を空けて第２根太を設けることによって、この第２根太を載置する際に、第２床板部を平面視に於いて第２床部材の中心に９０度回転させても確実に第１床部材に固着することができるフロアーデッキを提供することができる。
【０００９】
請求項７記載の発明は、フロアーデッキを設置する場所が凹凸を有する面であっても、容易にフロアーデッキを設置することができ、更に施工後のフロアーデッキの安定性が極めて高い安定性を有するフロアーデッキの施工方法を提供することができる。
請求項８記載の発明は、高低調整手段が誰でも容易に、円柱形状の脚部を軸周り方向に回転するだけで、第１床板部の高さの調整をすることができるので、この第１及び第２床板部を容易に水平位置に載置することができる。
請求項９記載の発明は、フロアーデッキを施工する際に於いて、容易に敷設することができるとともに敷設した際に視覚的効果の高い綺麗なフロアーデッキの施工方法を提供することができる
請求項１０記載の発明は、第１根太が断面略Ｌ字状の形状を有することで、第１床部材に第２床部材を載置した際に、確実に固定することができ、第１及び第２床部材により形成される床の撓みがないフロアーデッキの施工方法を提供することができる。
請求項１１記載の発明は、円柱形状の脚部を軸周り方向に容易に回転することができ、このフロアーデッキの高さを容易に調整することができるフロアーデッキの施工方法を提供することができる。
請求項１２記載の発明は、第２床板部に所定間隔を空けて第２根太を設けることによって、この第２根太を載置する際に、第２床板部を平面視に於いて９０度回転させても確実に第１床部材に固着することができるフロアーデッキの施工方法を提供することができる。
【発明を実施するための最良の形態】
【００１０】
本発明を実施するための最良の形態を図面を参照しつつ説明する。
図１は本発明に係るフロアーデッキの斜視図であり、図２は第１床部材の図であり、（ａ）は分解斜視図であり、（ｂ）は組立て斜視図であり、図３は第２床部材の裏面図であり、（ａ）は分解図であり、（ｂ）は底面図である。図４は、突出部と脚部の関係を示す図であり、（ａ）は平面図であり、（ｂ）は側面断面図を示し、図５は本発明に係る脚部の実施例を示す斜視図であり、図６は、突出部と脚部の他の実施例を示す図であり、（ａ）は平面図であり、（ｂ）は側面断面図を示す。
【００１１】
本発明のフロアーデッキ（１０）は、第１床部材（１）と、第２床部材（２）とから構成されている。このフロアーデッキは、図１で示す如く、第１床部材（１）及び第２床板部（２）をそれぞれ市松模様状に敷設して使用される。
第１床部材（１）は、図２で示す如く、第１床板部（１１）と、第１根太（１２）と、脚部（４）から構成されている。
第１床板部（１１）は、フロアーデッキ（１０）の床面を形成する。この第１床板部（１１）の形状は、特に限定されないが、平面視略四角形状が好ましく、四角形状の中でも、正方形の形状が特に好ましい。
第１床板部（１１）が平面視正方形の形状を有することで、第１床部材（１）同士を連結して敷設する際に、容易にこの第１床部材（１）を敷設するための配置や数量を予測することができるからである。
この第１床板部（１１）は、図１で示す如く、第１床板部（１１）の平面視の形状が正方形になるように、複数の長方形の板を組み合せて作成されることが好ましい。複数の長方形の板を組み合せることによって、第１床部材（１）と後述する第２床部材（２）との配置によって模様が生じ、視覚的効果を奏することができるからである。
【００１２】
第１床部材（１）は、第１床板部（１１）の裏側に、２本の第１根太（１２）が第１床板部（１１）の対向する辺に沿ってそれぞれ平行に設けられている（図２（ａ）参照）。この第１根太（１２）は、図２（ｂ）で示す如く、平面視に於いて第１床板部（１１）の周縁から外側へ突出する突出部（１３）を有して配設されている。
この突出部（１３）は、第１根太（１２）が当接する第１床板部（１１）の辺の長さの１／８〜１／２の長さ、好ましくは１／７〜１／５の長さを有することが好ましい。この突出部（１３）が上記する長さを有することで、第１床部材（１）同士を連結する際に十分な取り付け位置を設けることができるとともに、後述する第２床部材（２）を連結された第１床部材（１）に載置した際に十分な強度を有することになるからである。又、第１床板部（１１）の辺の長さの１／２を超えると他の第１床部材（１）の第１根太（１２）と当接して、第１床部材（１）を載置することができなくなるからである。
尚、第１根太（１２）の長さは、両端に突出部（１３）が設けられるように、第１床部材（１１）の一辺の長さとこの突出部（１３）の長さ２つ分を有することになる。
【００１３】
第１根太（１２）は、２本の第１根太（１２）が四角形の上角部を切欠いた断面略Ｌ字状の形状を有するとともにその切欠き部（５）が対向するように上面が第１床板部（１１）に固着されている（図２参照）。上記するように第１根太（１２）が固着されることによって、後述する第２床部材（２）が載置される際に、後述する第２根太（２２）を確実に係止させることができるからである。
【００１４】
第１根太（１２）の突出部（１３）には、第１床板部（１１）を支持する脚部（４）が設けられている。この脚部（４）には、この脚部（４）を上下方向に移動させることができる高低調整手段（３）が具備されている（図４参照）。この高低調整手段（３）は、脚部（４）を上下方向に移動させることによって、脚部（４）の長さを変化させ、第１床板部（１１）を水平状態に支持することができる。
第１根太（１２）の突出部（１３）には、上下方向に貫通する貫通孔（３１）が設けられ、上記する高低調整手段（３）は、貫通孔（３１）の内面又は、貫通孔（３１）の下端部に貫通孔（３１）と同心に設けられる雌螺子（３２）と、脚部（４）の外周面に設けられた雌螺子（３２）と螺合する雄螺子（４１）とから構成されている。
尚、図４及び図５では、雌螺子（３２）を有する雌螺子部材（３３）が、貫通孔（３１）の下端部に貫通孔（３１）と同心に配設され、雌螺子部材（３３）の雌螺子（３２）と螺合する雄螺子（４１）を外周面に有する円柱形状の脚部（４）が示されており、図４（ｂ）では、貫通孔（３１）に配設する雌螺子部材（３３）として、貫通孔（３１）の下端に於いて内側表面に雌螺子を有するナットが固着されている。
貫通孔（３１）の形状や径は、特に限定されないが、脚部（４）を挿入することができれば構わない。
尚、上記するように、この雌螺子部材（３３）が固着される場所は、特に限定されないが、図４（ｂ）で示す如く、貫通孔（３１）の下端に於いてこの貫通孔（３１）と同心となるように設けられても構わないし、雌螺子部材（３３）を第１根太（１２）中に貫通孔（３１）と同心となるように配置しても構わない（図示せず）。又、貫通孔（３１）の内面に雌螺子（３２）を設けても構わない（図示せず）。
尚、図４では、雌螺子部材（３３）としてプレート付きナットが使用され、第１根太（１２）の裏側表面に設けられ、第１根太（１２）にプレートが螺着されている。
【００１５】
脚部（４）は、第１床部材（１）を支持するとともにフロアーデッキ（１０）の高さを調整することができる。
この脚部（４）は、図５で示す如く、雌螺子（３２）と螺合する雄螺子（４１）を側表面に有する円柱形状を有している。雄螺子（４１）と雌螺子（３２）が螺合することによって、脚部（４）を軸周り方向に回転させて上下方向に移動させることができ、脚部（４）の長さを調整することができる。
この脚部（４）の上面には、この脚部（４）を軸周り方向に回転させる際の回転力を受ける窪み部（４２）が設けられている。この窪み部（４２）が有する形状は、上方からドライバー等で係止してこの脚部（４）を軸周り方向に回転することができれば構わないので、例えば、十字（プラス）型や一字（マイナス）型が考えられる。
【００１６】
脚部（４）は、脚部（４）の下端に土台部（４３）が設けられても好ましい。この土台部（４３）を設けることによって、第１床部材（１）及び第２床部材（２）を確実に且つ安定性を高くして支持することができるからである。
尚、この脚部（４）は、上記する構成を有していれば特に限定されないが、アジャスターボルトを使用することが好ましい。
尚、この脚部（４）をしっかりと固定するために、図６で示す如く、貫通孔（３１）の径を大きくして、貫通孔（３１）の上方からロングナット（４４）等を挿入して脚部（４）を固定しても構わない。
【００１７】
第２床部材（２）の構成について説明する。
第２床部材（２）は、フロアーデッキ（１０）の床面を形成する第２床板部（２１）と、この第２床部材（２１）を支持する第２根太（２２）からなる（図３参照）。
この第２床板部（２１）は、第１床板部（１１）と同一の形状を有している。この第２床板部（２１）も第１床板部（１１）と同様、平面視略四角形状が好ましく、四角形状の中でも、正方形の形状が特に好ましく、上述した如く、複数の長方形の板を組み合せてこの正方形を形成しても構わない。
【００１８】
第２根太（２２）は、上記した第２床板部（２１）を保持する。この第２根太（２２）の長さは、後述する所定間隔Ｌの２つ分の長さ（２Ｌ長さ分）だけ短く設定されている。
この第２根太（２２）の配置される位置は、図３で示す如く、第２床板部（２１）の裏側に、第２床板部（２１）の周辺の対向する２辺に沿って平行に、所定間隔Ｌだけ内側に離れて配置されるとともに、第２根太（２２）の両端がこの第２根太（２２）の延長方向のそれぞれの辺からも所定間隔Ｌだけ内側に離れて２つ配置されている。
この所定間隔Ｌは、第１床板部（１１）に当接する第１根太（１２）の上面の幅Ｗと等しい（図７及び図８参照）。
第２根太（２２）の厚みＴは、切欠き部（５）の垂直高さＨと等しいことが好ましい（図７及び図８参照）。
この所定間隔Ｌが上記幅Ｗに等しく且つ第２根太（２２）の厚みＴと切欠き部（５）の垂直高さＨが等しいことによって、第２床部材（２）を第１床部材（１）に載置する際に、第１根太（１２）の長手方向と第２根太（２２）が平行になるように、第２床板部（２）を載置することができる（図７参照）とともに、第１根太（１２）の長手方向と直角になるように載置する（図８参照）ことができるからであり、いずれの載置方法を行っても、上記した切欠き部（５）に、第２根太（２２）を配置して、確実に固着することができるからである。つまり、この第２床部材（２）を載置させる際に、第２床板部を平面視に於いて９０度回転させても確実に載置させることができる。
尚、図７は、第１床部材と第２床部材を組み合せて載置した状態を示す図であり、（ａ）は斜視図であり、（ｂ）は（ａ）のＢ−Ｂ線断面図であり、図８は、第１床部材と第２床部材を組み合せて載置した他の状態を示す図であり、（ａ）は斜視図であり、（ｂ）は（ａ）のＢ−Ｂ線断面図である。
以上が本発明に係るフロアーデッキ（１０）を構成する第１床部材及び第２床部材に係る構成の説明である。
【００１９】
本発明に係るフロアーデッキ（１０）の施工方法について図面を参照しつつ説明する。
先ず、複数の第１床板部（１）を所望する場所に、平面視に於いて市松模様状に敷設する（図９参照）。
この時、第１床板部（１１）は平面視に於いて略正方形の形状を有していると、載置する際に容易に組み合せることができる。
次いで、載設された第１床部材（１）の第１根太（１２）の突出部（１３）と当接する他の（斜め方向に隣り合う）第１床部材（１）の第１根太（１２）と固定する。この時の第１根太（１２）同士を固定する方法は、特に限定されないが、突出部（１３）にビス用の孔を設けて、ビス（６）により、第１根太（１２）同士を固定する方法を例示することができる。
【００２０】
第１床部材（１）同士が固定された後に、高低調整手段（３）によって、脚部（４）を上下方向に移動させ、第１床板部（１１）が水平になるように調整を行う。
この時、使用者は、脚部（４）の上面に設けられた回転させる際の回転力を受ける窪み部（４２）に合うドライバー又は電動ドライバーを挿入して、脚部（４）を所望する軸周り方向に回転させる。脚部（４）の外周面に設けられた雄螺子（４１）と貫通孔（３１）に設けられた雌螺子（３２）とによって、脚部（４）を軸周り方向に回転させることができるとともに、脚部（４）が貫通孔（３１）内を上下に移動することができる。これによって、脚部（４）を貫通孔（３１）内で上下に移動させて、使用者が所望する高さを適宜設定し、第１床板部（１１）が水平状態になるように調整することができる。
図４又は６で示す如く、ドライバーや電動ドライバーを使用して高低調整手段（３）の脚部（４）を回転させて上下に移動させて、第１床板部（１１）の高さを調整する。図１０は、脚部を上下方向に移動させてフロアーデッキを水平に調整した状態を示す一実施例の正面図である。図１０で示す如く、脚部（４）が設けられる場所の床面（Ｆ）が凹凸を有していても、上記する高低調整手段（３）を利用することで、第１床板部（１１）を水平状態に調整することができる。
尚、図６で示す如く、脚部（４）の高さを調整した後に、ボルトナット等を使用することによって、脚部（４）を確実に固定しても構わない。
【００２１】
高さ調整された複数の第１床部材（１）が形成する平面視に於ける空間に第２床部材（２）を配設する（図１１参照）。
この時、第１根太（１２）の長手方向に沿って平行なように第２根太（２２）を配設しても構わないし（図１１（ａ）参照）、第１根太（１２）の長手方向と直角になるように（第２床板部を平面視に於いて９０度回転させて）第２根太（２２）を配設しても構わない（図１１（ｂ）参照）。
この時、第２根太（２２）が上記した所定間隔Ｌ分だけ内側に配設され且つ第２根太（２２）の厚みＴが切欠き部（５）の高さＨと等しいので、第１床部材（１）が有する切欠き部（５）を利用することによって、使用者の所望する方向に容易にしかも確実に第２床部材（２）を載設することができる。
上記工程を複数の第１床部材（１）同士の間にある空間が無くなるまで、第２床部材（２）を使用者の所望する方向に配設することを繰り返す。
尚、配設された第２床部材（２）は、第２床部材（２）から第１根太（１２）へとビス等が打ち込まれることによって、第１床部材（１）と固着される。
以上が、本発明に係るフロアーデッキの施工方法である。
【図面の簡単な説明】
【００２２】
【図１】本発明に係るフロアーデッキの斜視図である。
【図２】第１床部材の表面斜視図であり、（ａ）は分解斜視図であり、（ｂ）は組立て斜視図である。
【図３】第２床部材の裏面斜視図であり、（ａ）は分解斜視図であり、（ｂ）は組立て斜視図である。
【図４】突出部と脚部の関係を示す実施例の図であり、（ａ）は平面図であり、（ｂ）は側面断面図を示す。
【図５】本発明に係る脚部の実施例を示す斜視図である。
【図６】突出部と脚部の関係を示す他の実施例の図であり、（ａ）は平面図であり、（ｂ）は側面断面図を示す。
【図７】第１床部材と第２床部材を組み合せて載置した状態を示す図であり、（ａ）は斜視図であり、（ｂ）は（ａ）のＢ−Ｂ線断面図である。
【図８】第１床部材と第２床部材を組み合せて載置した他の状態を示す図であり、（ａ）は斜視図であり、（ｂ）は（ａ）のＢ−Ｂ線断面図である。
【図９】本発明に係る第１床部材を載設した状態を示す斜視図である。
【図１０】脚部を上下方向に移動させてフロアーデッキを水平に調整した状態を示す一実施例の正面図である。
【図１１】第２床部材が載置された状態を示す斜視図である。尚、点線は第２根太を示す。
【符号の説明】
【００２３】
１・・・・第１床部材
１０・・・フロアーデッキ
１１・・・第１床板部
１２・・・第１根太
１３・・・突出部
２・・・・第２床部材
２１・・・第２床板部
２２・・・第２根太
３１・・・貫通孔
３２・・・雌螺子
３３・・・雌螺子部材
４・・・・脚部
４１・・・雄螺子
４２・・・窪み部
５・・・・切欠き部
【図１】
2005068714.tif 000003
【図２】
2005068714.tif 000004
【図３】
2005068714.tif 000005
【図４】
2005068714.tif 000006
【図５】
2005068714.tif 000007
【図６】
2005068714.tif 000008
【図７】
2005068714.tif 000009
【図８】
2005068714.tif 000010
【図９】
2005068714.tif 000011
【図１０】
2005068714.tif 000012
【図１１】
2005068714.tif 000013